(57)【要約】【課題】吊り下げ支持部材に吊り下げられる包装用箱において、上蓋を容易に開けることができる包装用箱を提供する。【解決手段】包装用箱は、被包装物を収容する少なくとも４壁面１０、１１、１２、１３からなる箱本体１と、箱本体１の一壁面の上下辺に沿って設けられており箱本体１内に差し込まれ係止される差込片３、１７を有する上下蓋２、１６と、上蓋２に連設されて蓋２を開けるときに把持することができ箱本体１を吊り下げるべく吊り下げ支持部材４に係合するための係合手段８を有しているつまみ片６と、を備えている。つまみ片６の係合手段８を吊り下げ部材に係合することにより、包装用箱が吊り下げ陳列される。上蓋２を開けるときに上蓋２に連設されたつまみ片６を把持して引くことにより、箱本体１内に差し込まれ係止された差込片３が箱本体１から抜き出されて、上蓋２が容易に開けられる。【選択図】      図１
2005015027.tif 000002
【特許請求の範囲】
【請求項１】
被包装物を収容する箱本体と、箱本体の一壁面上辺に沿って設けられた差込片を有する上蓋と、を有する包装用箱であって、
前記上蓋に、把持可能で吊り下げ支持部材に係合される係合手段を有するつまみ片を連設したことを特徴とする包装用箱。
【請求項２】
上蓋の差込片を部分的に切り起こしてつまみ片を形成したことを特徴とする請求項１に記載の包装用箱。
【請求項３】
上蓋が設けられた壁面と対向する壁面に、吊り下げ支持部材に係合される係合手段を有する吊り下げ基板が設けられており、つまみ片が、前記吊り下げ基板と重合されるように形成されており、吊り下げ基板の係合手段とつまみ片の係合手段が一致するように形成されていることを特徴とする請求項１または２に記載の包装用箱。
【請求項４】
箱本体または吊り下げ基板に切離し部を形成し、該切離し部につまみ片の少なくとも一部を接着可能としたことを特徴とする請求項１〜３のいずれかに記載の包装用箱。
【発明の詳細な説明】
【０００１】
【発明の属する技術分野】
本発明は、包装用箱に関し、さらに詳しくは、被包装物を収容する箱本体と、箱本体の一側面上辺に沿って設けられ箱本体内に差し込まれる差込片を有する上蓋と、前記側面に対向する壁面に設けられ吊り下げ支持部材に係合される係合手段を有する吊り下げ基板と、を有する包装用箱に関するものである。
【０００２】
【従来の技術】
包装用箱においては、店頭などに陳列することができるようにするために、ハンガーロッドなどの吊り下げ支持部材に吊り下げられる吊り下げ部を設けたものが従来から存在している。このような包装用箱は、一般に、上蓋が被包装物の収容部となる箱本体の前壁面上辺に沿って延長するように連続して形成されると共に、吊り下げ部が箱本体の後壁面から上方に連続して形成されている。このような構成の包装用箱の従来の技術としては、例えば特許文献１や特許文献２などが知られている。
【０００３】
【特許文献１】
登録実用新案第３０７００８１号公報
【特許文献２】
特開２００１−８８８２５号公報
【０００４】
特許文献１は、比較的に重い商品を収容しても、商品陳列箱が変形し商品収容部（箱本体）の蓋部と吊下部の下端との間に隙間が空くという欠点が生じない吊下用の商品陳列箱を提供することを目的としたもので、商品収容部及び吊下部を備えた吊下用商品陳列箱において、前記商品収容部はその上部に蓋部を備えており、前記蓋部は、蓋部固定用の固定辺を備えており、前記吊下部は、前記固定辺を差込むための固定辺差込用穴部を備えており、前記固定辺は、その裏側に面ファスナ−の雄部材又は雌部材のいずれか一方を備えており、また、これに対応して、前記商品収容部は、その裏側に面ファスナ−の雄部材又は雌部材の他方を備えていることを特徴とする商品陳列箱が開示されている。
【０００５】
このように構成された特許文献１の商品陳列箱では、蓋部の固定辺を吊下部の固定辺差込用穴部に差し込んで、面ファスナーによって商品収容部の裏面に固定辺を接着し、蓋部と吊下部の下端とが離れないようにする。
【０００６】
一方、特許文献２は、吊り下げ可能であって異物の進入を抑え、再封可能な包装用箱を提供することを目的としたもので、一枚のブランクシートから一体的に打ち抜かれた箱体形成片から成り、この箱体形成片に、平行に連接された側面と、この側面端部に形成された蓋片と、他の側面の上記蓋片側端部に形成され上記蓋片の外側面に糊付けされる外蓋片と、この外蓋片の一部をこの外蓋片から切り起こして形成される吊下げ片が設けられていることを特徴とし、さらにこの特徴に加えて、上記蓋片の先端部には差込片が折罫線で区切られて設けられ、上記上蓋片と上記上蓋片が設けられた側面とを切断してこの包装用箱を開封した後、上記差込片をこの側面内側に差し込むことにより再封可能としたことを特徴とする包装用箱が開示されている。
【０００７】
また、特許文献２には、一枚のブランクシートから一体的に打ち抜かれた箱体形成片から成り、この箱体形成片に、平行に連接された側面と、この側面端部に形成された蓋片と、この側面の一部をこの側面端部の折罫線に向かう所定形状で切り離して形成される吊下げ片が設けられ、この吊下げ片は上記蓋片上方に向けて折り曲げられることを特徴とする包装用箱が開示されている。そして、特許文献２には、さらにこの特徴に加えて、互いに平行に連接された上記側面の側縁部に、上記吊下げ片が設けられた上記側面の内側に重ねて位置した内側面が連接して設けられていることを特徴とすると思われる旨の記載がされている。この特許文献２のさらなる特徴の場合においても、特許文献２における上述した特徴と同様に、側面に折罫線で区切られた外上蓋片が蓋片の外側面に糊付けされることが記載されている（段落番号００３４および段落番号００３６）。
【０００８】
このように構成された特許文献２の包装用箱では、側面とこれに差し込まれる蓋片の差込片との間の差込部を外上蓋片により閉じるために異物の進入がないなどと記載されている。また特許文献２の包装用箱では、包装用箱を開封するときに、蓋片の差込片が設けられている自由端側に位置する外上蓋片の切込線を切ることが記載されている。
【０００９】
【発明が解決しようとする課題】
しかしながら、上述した従来の一般的な包装用箱にあっては、上蓋が箱本体の前壁面から連続して形成されると共に、吊り下げ基板が箱本体の後壁面から上方に連続して形成されており、上蓋の先端に設けられた差込辺が吊り下げ基板から箱本体の後壁面に沿って差込配置されるため、上蓋を開けるときに吊り下げ基板が邪魔となって、上蓋の先端と吊り下げ基板の間に手指を差し入れて差込部を箱本体から抜き出すのが困難であるという問題があった。
【００１０】
また、上述した特許文献１に開示された商品陳列箱にあっては、蓋部の固定辺は、商品収容部の裏面に接着されるために吊り下げ部の固定辺差込用穴部に差し込まれており、蓋部を開けるために利用し得るものではなく、しかも、蓋部の先端と吊り下げ部の間に位置する固定辺が手指を差し入れるのを邪魔するため、上述した一般的な包装用箱以上に蓋部を開けるのが容易ではないという問題があった。
【００１１】
さらに、上述した特許文献２に開示された包装用箱にあっては、包装用箱を開封するときに、蓋片の差込片が設けられている自由端側に位置する外上蓋片の切込線をその全長にわたって切ることが必要であり、開封に手間がかかるという問題や、切込線を外上蓋片の全長にわたって設けなければならないなどの問題があった。また、上述した特許文献２にあっては、側面とこれに差し込まれる蓋片の差込片との間の差込部を閉じるために、蓋片にこれと同等の大きさの外上蓋片を糊付けするために、素材に無駄が生じると共に、製作工程が多くなるなどの問題があった。
【００１２】
そして、上述した従来の技術にあっては、いずれのものも、吊り下げ支持部材などに係合される孔が形成された吊り下げ部が単一枚で構成されているために、箱本体に収容された被包装物が比較的重いと、吊り下げ部が破れて孔が拡大したり、吊り下げ部から箱本体が破断して落下するなどの問題があった。
【００１３】
本発明は、上述した問題に鑑みてなされたもので、吊り下げ支持部材に吊り下げられる包装用箱において、上蓋を容易に開けることができる包装用箱を提供することを目的とする。
また、本発明は、機械によっても容易に製造することができる構造の包装用箱を提供することを目的とする。
さらに、本発明は、一度開封したことが判別することができる包装用箱を提供することを目的とする。
さらにまた、本発明は、差込片が抜け出て容易に開封することが防止される包装用箱を提供することを目的とする。
【００１４】
【課題を解決するための手段】
請求項１に係る発明は、上記目的を達成するため、被包装物を収容する箱本体と、箱本体の一壁面上辺に沿って設けられた差込片を有する上蓋と、を有する包装用箱であって、前記上蓋に、把持可能で吊り下げ支持部材に係合される係合手段を有するつまみ片を連設したことを特徴とするものである。
請求項２に係る発明は、上記目的を達成するため、請求項１に記載の発明において、上蓋の差込片を部分的に切り起こしてつまみ片を形成したことを特徴とするものである。
請求項３に係る発明は、上記目的を達成するため、請求項１または２のいずれかに記載の発明において、上蓋が設けられた壁面と対向する壁面に、吊り下げ支持部材に係合される係合手段を有する吊り下げ基板が設けられており、つまみ片が、前記吊り下げ基板と重合されるように形成されており、吊り下げ基板の係合手段とつまみ片の係合手段が一致するように形成されていることを特徴とするものである。
請求項４に係る発明は、上記目的を達成するため、請求項１〜３のいずれかに記載の発明において、箱本体または吊り下げ基板に切離し部を形成し、該切離し部につまみ片の少なくとも一部を接着可能としたことを特徴とするものである。
【００１５】
請求項１の発明では、上蓋を開けるときに上蓋に連設されたつまみ片を把持して引くことにより、箱本体内に差し込まれ係止された差込片が箱本体から抜き出されて、上蓋が容易に開けられる。また、つまみ片の係合手段を吊り下げ部材に係合することにより、包装用箱が吊り下げ陳列される。
請求項２の発明では、請求項１に記載の発明において、上蓋の差込片を部分的に切り起こすことにより、つまみ片が容易に形成される。
請求項３の発明では、請求項１または２に記載の発明において、吊り下げ基板とつまみ片を互いに重合させて互いの係合手段を一致するように形成したため、両係合部材が共通の吊り下げ支持部材に係合されて被包装物が収容された包装用箱の重量を両者によって支持することとなり、各係合手段にかかる負荷が軽減されて破損が低減する。また、つまみ片はその係合手段が吊り下げ支持部材と係合されることにより、箱本体内に差し込まれ係止された差込片が容易に抜け出ることがなく、吊り下げ支持部材から取り外すことによってつまみ片が自由となり、箱本体内に差し込まれ係止された差込片を容易に抜き出すことができる状態となる。
請求項４の発明では、請求項１〜３のいずれかに記載の発明において、箱本体または吊り下げ基板に部分的に形成された切離し部につまみ片の少なくとも一部を接着することにより、切離し部を箱本体または吊り下げ基板から切離すと、つまみ片を自由に引くことができるために容易に開封することができ、しかも、一度開封すると、つまみ片に接着された切離し部が箱本体または吊り下げ基板から切離されるため、その包装用箱が開封されたものであるか否かが容易に判別される。なお、切離し部が切離された後であっても、箱本体内に差込片を差し込むことにより、上蓋を箱本体に係止して閉じた状態とすることができる。
【００１６】
【発明の実施の形態】
本発明の包装用箱の第１の実施の形態を図１〜図４に基づいて詳細に説明する。なお、同一符号は、同様または相当する部分を示すものとする。
本発明の包装用箱は、概略、被包装物を収容する少なくとも４壁面からなる箱本体１と、箱本体１の一壁面の上下辺に沿って設けられており差込片３、１７を有する上下蓋２、１６と、上蓋２に連設されて上蓋２を開けるときに把持することができ、且つ、ハンガーロッドなどの吊り下げ支持部材４に係合される係合手段としての透孔８を有するつまみ片６と、を備えている。
【００１７】
この実施の形態における包装用箱は、紙などのシート状素材を打ち抜くことなどによって所定形状の箱形成シート材Ｓを一体で形成し、この箱形成シート材Ｓを各折り曲げ線（図１では鎖線で示した）２０〜２８で折り曲げると共に所定箇所１４と１０を接着することにより、組立て構成されている。
【００１８】
図１に展開図で示すように、箱形成シート材Ｓは、箱本体１を構成する少なくとも４壁面、すなわち、側壁面１０、前壁面１１、側壁面１２、後壁面１３と、接合部１４が、折り曲げ線２０、２１、２２、２３を介して図１の左右方向に連続して順次形成されている。両側壁面１０、１２の上下方向には、それぞれフラップ１５が折り曲げ線２４を介して形成されている。前壁面１１の上下方向にはそれぞれ折り曲げ線２５、２６を介して上蓋２と下蓋１６とが形成されており、両蓋２、１６の先端には折り曲げ線２７、２８を介して差込片３、１７がそれぞれ形成されている。折り曲げ線２７、２８の左右両端の部分には、後に箱形成シート材Ｓを組立てたときに上蓋２と下蓋１６が容易に開かないようにフラップ１５とそれぞれ係合される切り込み２７ａ、２８ａが形成されている。
【００１９】
上蓋２に折り曲げ線２７を介して連設された差込片３の幅方向略中央には、上蓋２と差込片３の間の折り曲げ線２７まで達する切り込み３２、３２が一対で形成されており、この切り込み３２、３２の間の部分を後に上蓋２に対して起こすように、折り曲げ線２８から差込片３と反対方向に折り曲げることによって、つまみ片６が上蓋２に連設されている。つまみ片６は、上蓋２を開けるときに把持するのに充分な大きさに設定されている。つまみ片６には、係合手段となる透孔８が穿設されている。
【００２０】
このように成形された箱形成シート材Ｓでは、各折り曲げ線２０〜２３で折り曲げられ、接合部１４の表面と側壁面１０の裏面とが接着剤などよって接着され、各フラップ１５が折り曲げ線２４で内側に向かって曲げられると共に、下蓋１６が折り曲げ線２５で折り曲げられ、その差込片１７が折り曲げ線２８で折り曲げられて後壁面１３に沿って箱本体１内に差し込まれて係止され、箱本体１が形成される。箱本体１内には、比較的軽量の被包装物が収容される。そして、折り曲げ線２７、２８の両端部にそれぞれ形成された切り込み２７ａ、２８ａがフラップ１５とそれぞれ係合されており、上蓋２および下蓋１６が容易に開くことは無い。
【００２１】
このように構成された包装用箱では、つまみ片６の透孔８にハンガーロッドなどの棒状の吊り下げ支持部材４を挿通して吊り下げる。また、箱本体１を開封して収容された被包装物を取り出すときには、つまみ片６を把持して引き上げる。これにより、差込片３が箱本体１内から確実且つ容易に抜き出て、箱本体１が開放される。なお、つまみ片６に形成された吊り下げ支持部材４と係合される係合手段８は、円形の透孔に限定されることなく、例えばスリット状の透孔、一端が開放された鉤状の透孔などに形成することもできる。
【００２２】
次に、本発明の包装用箱の第２の実施の形態を図５〜図８に基づいて詳細に説明する。なお、上述した実施の形態と同様または相当する部分については、同じ符号を付してその説明を省略し、異なる部分のみ説明することとする。
この実施の形態における包装用箱は、つまみ片６が第１の実施の形態と比較して長く、折り曲げ線３０から折り曲げられている。そして、後壁面１３の上方略中央には、切離し線４０によって形成される切離し部７が設けられており、この切離し部７に折り曲げられたつまみ片６の先端が接着されている。つまみ片６には、係合手段となる透孔８、８が、折り曲げ線３０から折り曲げられた状態で整合するように穿設されている。
【００２３】
つまみ片６は、上蓋２に折り曲げ線２７を介して連設された差込片３の一部が上方へ部分的に延びるように形成されると共に、その両側縁が上蓋２と差込片３の間の折り曲げ線２７まで延びるよう設けられた切り込み３２、３２によって、上蓋２を開けるときに把持するのに充分な大きさに形成されている。つまみ片６は、後に上蓋２に対して起こすように、折り曲げ線２７から差込片３とは反対方向に折り曲げられる。
【００２４】
このように構成された包装用箱では、二つ折りにされたつまみ片６の両透孔８、８に棒状の吊り下げ支持部材４を挿通して吊り下げる。つまみ片６の先端が切離し部７に接着されているため、上述した第１の実施の形態と比較して重量の重い被包装物を箱本体１に収容した場合であっても、上蓋２が容易に開くことはない。そして、この実施の形態における包装用箱を開封するときには、透孔８、８から吊り下げ支持部材４を抜き出して、指先などで切離し部７を押圧して切離し線４０により後壁面１３から切離し、つまみ片６を把持して上方に引き上げるだけで上蓋２の差込片３が箱本体１から容易に引き抜かれて確実に開放される。切離し部７が後壁面１３から切離されるために、その包装用箱が一度でも開封したことがあるか否かを容易に判別することができる。そして、切離し部７が後壁面１３から切離された後であっても、上蓋２に連設された差込片３を箱本体１内に差し込んで係止することにより、上蓋２を再び閉じた状態とすることができる。
【００２５】
次に、本発明の包装用箱の第３の実施の形態を図９〜図１３に基づいて詳細に説明する。なお、上述した実施の形態と同様または相当する部分については、同じ符号を付してその説明を省略し、異なる部分のみ説明することとする。
この実施の形態における包装用箱は、上蓋２が設けられている前壁面１１と対向する後壁面１３に箱本体１を吊り下げるための吊り下げ基板５が設けられている。そして、第２の実施の形態と同様に、つまみ片６は比較的的長く吊り下げ基板５と重合されるように二つ折りで形成されており、切離し線４０によって形成される切離し部７が後壁面１３の上方略中央に設けられており、この切離し部７に折り曲げられたつまみ片６の先端が接着され、吊り下げ基板５には係合手段としての透孔９、９がつまみ片６の透孔８、８と一致するように穿設されている。
【００２６】
図９に展開図で示すように、箱形成シート材Ｓの後壁面１３の上方向には、吊り下げ基板５を構成する吊り下げ部５０が境界線３３を介して形成されており、吊り下げ部５０には折り曲げ線２９を介して吊り下げ部５１が形成されている。吊り下げ部５０、５１の間には、後述する凹部５２’を形成するための開口５２が穿設されており、折り曲げ線２９が開口５２の左右方向に延びるように配置されている。折り曲げ線２９で吊り下げ部５０、５１の間を折り曲げて吊り下げ部５０、５１を重ね合わせると、上縁に凹部５２’を有する吊り下げ基板５が形成されることとなる。
【００２７】
後壁面１３の上方の略中央には断続的な切離し線４０によって形成される切離し部７が設けられており、吊り下げ部５１の図１における上方縁中央の、折り曲げ線２９で二つ折りにされたときの切離し部７と対応する位置には、切り欠き５３が形成されている。また、吊り下げ部５０、５１の開口５２の上下方向には、ハンガーロッドなどの吊り下げ支持部材４に係合される係合手段としての透孔９、９が、吊り下げ部５０、５１を折り曲げ線２９で二つ折りにして重ね合わせたときに互いに一致し、且つ、つまみ片６の透孔８、８とも一致するように対応する位置に穿設されている。
【００２８】
このように構成された箱形成シート材Ｓでは、吊り下げ部５０、５１が折り曲げ線２９で二つ折りとなるように折り曲げられてその先端５１ａが後面部１３に沿って位置すると共にフラップ１５が折り曲げ線２４で内側に向かって曲げられる。したがって、包装用箱を組立てたときに、吊り下げ基板５は、箱本体１の前壁面１１と対向する後壁面１３に境界線３３を介して一体に形成される。
【００２９】
そして、上蓋２が折り曲げ線２５で折り曲げられてその差込片３が折り曲げ線２７で折り曲げられて、二つ折りにされた吊り下げ部５１の先端５１ａに沿って箱本体１内に差し込まれて係止される。このとき、つまみ片６は、差込片３から切り込み３２によって切り離されて、差込片３と反対方向に折り曲げ線２７で折り曲げられて起こされ、吊り下げ部５０、５１の開口５２によって形成された凹部５２’と対応するようにその中間部分が折り曲げ部３０から折り曲げられて、吊り下げ基板５の前面（５１）から後面（５０）にわたって重合するように延びている。このとき、つまみ片６に形成された透孔８、８は、吊り下げ基板５に穿設された透孔９、９と一致するよう設定されており、また、つまみ片６の一部であるその先端は、箱本体１の後壁面１３の切離し部７と一致するよう設定されており、かかる切離し部７と接着剤などによって接着されている。なお、下蓋１６の差込片１７は必要に応じて後面部１３に対して接着することができる。また、被包装物は、下蓋１６または上蓋２の差込片３、１７を差し込む前までに箱本体１内に収容される。吊り下げ基板５とつまみ片６に形成された吊り下げ支持部材４と係合される係合手段８、９は、円形の透孔に限定されることなく、例えばスリット状の透孔、一端が開放された鉤状の透孔などに形成することもできる。
【００３０】
このように構成された包装用箱では、吊り下げ基板５とつまみ片６の透孔８、９に棒状の吊り下げ支持部材４を挿通して吊り下げる。この実施の形態では、つまみ片６と吊り下げ基板５の４つの透孔８、９、９、８で箱本体１内に収容された被包装物の荷重を支えるため、各透孔８、９が破損し難く、包装用箱の外観を維持できると共に、安定して吊り下げ支持部材４に吊り下げることができる。
【００３１】
また、透孔８、９から吊り下げ支持部材４を抜き出して包装用箱を開封するときには、指先などで切離し部７を押圧して切離し線４０により後壁面１３から切り離す。そして、図１３に示すように、つまみ片６を把持して上方に引き上げるだけで上蓋２の差込片３が箱本体１から容易に引き抜かれて確実に開放される。切離し部７が後壁面１３から切り離されるために、その包装用箱が一度でも開封したことがあるか否かを容易に判別することができる。そして、切離し部７が後壁面１３から切り離された後であっても、上蓋２に連設された差込片３を箱本体１内に差し込んで係止することにより、上蓋２を閉じた状態とすることができる。
【００３２】
次に、本発明の包装用箱の第４の実施の形態を図１４〜図１７に基づいて説明する。なお、上述した実施の形態と同様または相当する部分については、同じ符号を付してその説明を省略し、異なる部分のみ説明することとする。
この実施の形態における包装用箱は、つまみ片６が第３の実施の形態と比較して短く、吊り下げ基板５の前面のみに位置しており、切離し線４０によって形成される切離し部７が、二つ折りされる吊り下げ基板５の前方側の吊り下げ部５１に設けられている。
【００３３】
つまみ片６は、その先端が吊り下げ基板５の凹部５２’から上方に突出するような長さに形成されている。そして、吊り下げ基板５の切離し部７は、その形状がつまみ片６の形状に応じて設定されており、かかる切離し部７の前面とつまみ片６の後面の一部とが接着剤などによって接着可能とされている。
【００３４】
このように構成された包装用箱では、つまみ片６と吊り下げ基板５の透孔８、９に棒状の吊り下げ支持部材４を挿通して吊り下げげる。そして、吊り下げ支持部材９から包装用箱を抜き出して開封するときには、図１７に鎖線で示したように、つまみ片６の吊り下げ基板５の凹部５２’から突出している部分を把持して、手前に引きながら上方に引き上げる。これに伴って、吊り下げ基板５の切離し部７が切離し線４０から切離されて、上蓋２の差込片３が容易に引きぬかれて確実に開放される。
【００３５】
なお、本発明の包装用箱は、これらの実施の形態に限定されることなく、例えば、つまみ片６は差込片３の幅方向略中央に設けてもよいし、一方に偏して設けてもよく、また、いずれの場合でも、つまみ片６を接着するための切離し部７を設けなくてもよいし、設けてもよい。本発明の包装用箱は、係合手段としての透孔８が吊り下げ支持部４に係合されることによって、上蓋２の差込片３を箱本体１内に差し込んだ状態が安定して維持され、また、つまみ片６の透孔８から吊り下げ支持部材４を抜き出したときには、つまみ片６を把持して上蓋２を何度でも開閉させることができる。
【００３６】
【発明の効果】
請求項１の発明によれば、上蓋に把持可能なつまみ片を連設したことにより、箱本体を吊り下げ陳列することができ、しかも、上蓋を容易に開けることが可能な包装用箱を提供することができる。
請求項２の発明によれば、請求項１に記載の発明において、上蓋の差込片を部分的に切り起こしてつまみ片を形成したことにより、機械によっても容易に製造することができる構造の包装用箱を提供することができる。
請求項３の発明によれば、請求項１または２に記載の発明において、つまみ片が、吊り下げ基板と重合されるように形成されており、吊り下げ支持部材と係合される係合手段を有することにより、吊り下げ基板とつまみ片を互いに重合させて係合手段を一致するように形成したことにより、両係合部材を共通の吊り下げ支持部材に係合したときに被包装物を収容した包装用箱の重量が両者によって支持することができるため、各係合手段にかかる負荷を軽減して破損を低減させることができ、また、吊り下げ陳列時に上蓋が容易に開くことを阻止することができる包装用箱を提供することができる。
請求項４発明によれば、請求項１〜３のいずれかに記載の発明において、箱本体または吊り下げ基板に切離し部を形成し、この切離し部につまみ片の少なくとも一部を接着可能としたことにより、一度開封したことが判別可能な包装用箱を提供することができる。
【図面の簡単な説明】
【図１】本発明の包装用箱の第１の実施の形態を説明するために示す箱形成シート材の展開図である。
【図２】図１の箱形成シート材を組立てた包装用箱の正面図である。
【図３】図２の背面図である。
【図４】図２の部分拡大縦断側面図である。
【図５】本発明の包装用箱の第２の実施の形態を説明するために示す箱形成シート材の展開図である。
【図６】図５箱形成シート材を組立てた包装用箱の正面図である
【図７】図６の背面図である。
【図８】図７の部分拡大縦断側面図である。
【図９】本発明の包装用箱の第３の実施の形態を説明するための箱形成シート材の展開図である。
【図１０】図９に示した箱形成シート材を組立てた包装用箱の正面図である。
【図１１】図１０の後面図である。
【図１２】図１０の部分拡大縦断側面図である。
【図１３】切離し部を切離してつまみ片を引き上げ、上蓋を開いた状態を説明するための部分拡大断面図である。
【図１４】本発明の包装用箱の第４の実施の形態を説明するための箱形成シート材を示す展開図である。
【図１５】図１４に示した箱形成シート材を組立てた包装用箱の正面図である。
【図１６】図１７の後面図である。
【図１７】上蓋が閉じている状態と、切離し部を切離してつまみ片を引き上げ、上蓋を開いた状態とを説明するための部分拡大断面図である。
【符号の説明】
Ｓ      箱形成シート材
１      箱本体
２      上蓋
３      差込片
４      吊り下げ支持部材
５      吊り下げ基板
６      つまみ片
７      切離し部
８      透孔（係合手段）
９      透孔（係合手段）
【図１】
2005015027.tif 000003
【図２】
2005015027.tif 000004
【図３】
2005015027.tif 000005
【図４】
2005015027.tif 000006
【図５】
2005015027.tif 000007
【図６】
2005015027.tif 000008
【図７】
2005015027.tif 000009
【図８】
2005015027.tif 000010
【図９】
2005015027.tif 000011
【図１０】
2005015027.tif 000012
【図１１】
2005015027.tif 000013
【図１２】
2005015027.tif 000014
【図１３】
2005015027.tif 000015
【図１４】
2005015027.tif 000016
【図１５】
2005015027.tif 000017
【図１６】
2005015027.tif 000018
【図１７】
2005015027.tif 000019